(57)【要約】【課題】、蟻穴及び蟻ホゾにより異なる２つの蟻継ぎブロックを結合し、該蟻継ぎブロックを無限に外へ接合し、延伸組み合わせる蟻継ぎブロックを提供する。【解決手段】  本発明は、蟻継ぎブロックであり、主にブロック各側面に蟻穴及び蟻ホゾを順に交替で設置する。複数のブロックを接続する時、各側面の角度によって、ブロックの蟻ホゾをもう１つのブロックの蟻穴に嵌合させ、弧度を有する立体特殊造形を形成し、且つ更に豊富な変化性を備える。【選択図】図１
2016221268.tif 000002
【特許請求の範囲】
【請求項１】
正偶数辺形であり、上面、該上面と対応する底面、及び上面及び底面の間に接続され、且つ実質上該上面と相互に垂直な複数の側面を有するブロックを含み、
該ブロックが有する該側面の数量は、偶数であり、且つ少なくとも６個であり、該ブロックの各側面は、順に交替で蟻穴及び蟻ホゾを設置し、即ち、某１つの該側面上１つ該蟻ホゾを設定している時、該側面と隣り合うもう１つの該側面上に一定して１つの該蟻穴を設置し、某該側面に１つの該蟻穴を設置している時、該側面と隣り合う他の２つの該側面上に一定して１つの該蟻穴を設置し、某１つの該側面上に１つの該蟻穴を設置している時、該側面と隣り合う他の２つの該側面上に一定して１つの該蟻ホゾを設置し、
そのうち、複数のギアブロックを相互に接続する時、１つの該ブロックの該蟻ホゾを隣り合うもう１つの該ブロックの該蟻穴に嵌合固定し、該２つのブロックを相互に横方向に接続させることができる蟻継ぎブロック。
【請求項２】
前記ブロックは、正六辺形であり、且つ６つの該側面を有する請求項１に記載の蟻継ぎブロック。
【請求項３】
前記蟻ホゾは、更に、上傾斜面、下傾斜面及び位置決め点を含み、該上傾斜面は、該蟻ホゾの上端に設けられ、該下傾斜面は、該蟻ホゾの下端に設けられ、該上傾斜面及び該下傾斜面は、平行を呈して設置され、複数の該ブロックが縦方向に接続される時、下層に位置する該ブロックの該上傾斜面は、上層に位置する該ブロックの下傾斜面と貼合し、且つ上層に位置する該ブロックの該蟻穴は、下層に位置する該ブロックの該上傾斜面を合わせて少なくとも１つの位置決め点を構成する請求項２に記載の蟻継ぎブロック。
【請求項４】
前記ブロックは、更に、柱体及び嵌合溝を含み、該柱体は、該ブロックの該上面に設けられ、該嵌合溝は、該ブロックの該底面に設けられ、該柱体の面積は、該嵌合溝の面積に対応し、上下に隣り合う２つの該ブロックを、下層の該ブロックに位置する該柱体を該上層の該ブロックに位置する該嵌合溝内に嵌め込んで縦方向に接続させる請求項２に記載の蟻継ぎブロック。
【請求項５】
前記柱体及び該嵌合溝の両者の外周輪郭が正六辺形である請求項４に記載の蟻継ぎブロック。
【請求項６】
複数の前記ブロックの他か鎖は、それぞれ異なる請求項１に記載の蟻継ぎブロック。
【請求項７】
各前記側面上に位置する該蟻ホゾの厚さは、該ブロックの高さと同じであり、且つ外形は、該蟻穴が収納可能な蟻継ぎ内縁に略等しく、従って、該ブロックを９０度反転して垂直の該蟻ホゾにより隣り合うもう１つの該ブロックの水平の該蟻穴と結合し、２つの該ブロックを９０度で十字に交差して固定接続する請求項１に記載の蟻継ぎブロック。
【請求項８】
前記ブロックの高さは、該蟻ホゾの厚さより大きく、且つ各該蟻ホゾは、それぞれ各該側面の中央位置に位置する請求項１に記載の蟻継ぎブロック。
【請求項９】
更に、該ブロック中央箇所に設置される貫通孔を含み、該貫通孔は、該ブロックの該上面及び該底面の間を貫通する請求項１に記載の蟻継ぎブロック。
【請求項１０】
前記貫通孔は、六辺形の輪郭を有する請求項９に記載の蟻継ぎブロック。
【発明の詳細な説明】
【技術分野】
【０００１】
本発明は、蟻継ぎブロックに関し、特に、蟻穴と蟻ホゾを利用して異なる２つの蟻継ぎブロックを結合する技術に関する。
【背景技術】
【０００２】
市場には、多くの手と眼の協調能力を訓練する玩具があり、各タイプの遊び方及び組み合わせ方式で一致性がないので、創造力の発展を訓練することによく適用されている。
【０００３】
そのうち、ブロックの種類が最も多く、異なる幾何図形のブロック状体で堆積を行うか、各ブロック上に凹部及び凸部を設置し、嵌合接続の目的を達成するものがよく見られる。そのうち、最も市場でよくみられるブロックは、レゴ（ＬＥＧＯ）(登録商標)ブロックであり、その特色は、単一正方体の面積を最小単位として使用し、大きな面積の正方体又は長方体に拡張を行うことにある。正方体の凹凸部により、縦方向に組み立てるが、単一方向の組み立ては、時々で構造強度が良好でなく、崩壊、脱落等の状況の発生を招き、大型構造の組み立てに対して難度がある。
故に、レゴブロックは、９０、１８０、２７０度で組み合わせて方向を調整する必要があり、そうして初めて大型又は湾曲弧度を有する構造を組み立てることができ、且つ特殊な部品を必要として初めて完成することができる。レゴブロックの組み立ては、嵌合が過度に緊密で組み立てが容易であるが分離し難い状況もしばしば発生し、大きな力で組み立て分解を行う必要が生じ、ブロックの構造の損壊を招き、該発明者は、この困難のために分解工具を開発して使用者に使用させてもいる。
【０００４】
また、従来のブロックは、組み立て又は分解時、ブロックごとに行う必要があるので、時間、労力を消費し、且つ迅速に分解できない問題があり、このことから分かるように、依然として更に改善の余地がある。
【先行技術文献】
【特許文献】
【０００５】
【特許文献１】特表２００８−５４１９８５号公報
【発明の概要】
【発明が解決しようとする課題】
【０００６】
本発明の第一の目的は、蟻穴及び蟻ホゾにより異なる２つの蟻継ぎブロックを結合し、該蟻継ぎブロックを無限に外へ接合し、延伸組み合わせする目的を達成する蟻継ぎブロックを提供することにある。
【０００７】
本発明の第二の目的は、蟻継ぎブロックの上面に柱体を設け、ブロックの底面に該柱体の面積に対応する嵌合溝を設けることにより、該蟻継ぎブロックを垂直方向に延伸し、堆積組み合わせする目的を達成する蟻継ぎブロックを提供することにある。
【０００８】
本発明の第３の目的は、蟻継ぎブロックの蟻ホゾの厚さ外形が該蟻穴の収容可能な蟻継ぎ内縁に略等しいことにより、そのうち１つの蟻継ぎブロックの９０度垂直に反転した該蟻ホゾともう１つの蟻継ぎブロックの水平な該蟻穴と結合させることができ、２つの蟻継ぎブロックを十字に交差して固定する目的を達成する蟻継ぎブロックを提供することにある。
【課題を解決するための手段】
【０００９】
上記目的を達成する為、本発明の蟻継ぎブロックは、複数のブロックが互いに接続して構成され、該ブロックは、正多辺形の設計であり、該ブロックの各側面は、順に交互に、蟻穴、蟻ホゾを設置し、該ブロックの上底の二面に相対して組み合わせを行うことができる柱体及び嵌合溝を設置する。
【００１０】
複数のブロックが接続を行う時、各側面の角度によって、該ブロックの蟻ホゾをもう１つのブロックの蟻穴に嵌合固定させ、該ブロックに弧度を有する立体特殊造形を形成させる。更に、柱体によって嵌合溝と接続し、ブロックに縦方向及び回転により組み合わせ方向を調整させることができ、本発明の蟻継ぎブロックに、縦方向、横方向、逆方向、回転の組み合わせ手段により、組み立てる立体造形に更に豊富な変化性をもたせることができるようにし、且つ全体構造も相当な安定性を保有できるようにする。また、ブロックの蟻ホゾの上下二端に平行な傾斜面、及び蟻穴が合わせる上傾斜面から構成される位置決め点を設置し、ブロックに堆積又は横方向の接続を可能にさせ、着脱に便利であり、接続が安定する利点を有する。
【００１１】
実施例において、該ブロック上面に柱体を設け、更に、該ブロック底面に該柱体の面積に対応する嵌合溝を設ける。複数のブロックが垂直に接続する時、該柱体は、該嵌合溝内に組み付けられることができ、該ブロックを縦方向に接続可能にし、複数のブロックを接続させて安定した立体造形を構成させる。
【００１２】
実施例において、該蟻継ぎブロックの蟻ホゾの厚さ外形は、該蟻穴が収容可能な蟻継ぎ内縁とほぼ等しいので、２つの蟻継ぎブロックを十字に交差して連続固定させることを達成でき、更に多くの異なる結合変化を発生させる。
【発明の効果】
【００１３】
本発明の蟻継ぎブロックは、蟻穴及び蟻ホゾにより異なる２つの蟻継ぎブロックを結合し、該蟻継ぎブロックを無限に外へ接合し、延伸組み合わせする目的を達成する。
【図面の簡単な説明】
【００１４】
【図１】本発明の蟻継ぎブロックの立体図である。
【図２】本発明の蟻継ぎブロックの通常接続中の立体説明図である。
【図２Ａ】本発明の蟻継ぎブロックの通常接続後の立体説明図である。
【図３】本発明の蟻継ぎブロックの回転接続中の立体説明図である。
【図３Ａ】本発明の蟻継ぎブロックの回転接続後の立体説明図である。
【図４】本発明の蟻継ぎブロックの逆向き接続中の立体説明図である。
【図４Ａ】本発明の蟻継ぎブロックの逆向き接続後の立体説明図である。
【図５】本発明の蟻継ぎブロックの正六辺形、正八辺形、正十辺形、正十二辺形の説明図である。
【図６】本発明の蟻継ぎブロックの正十辺形の異なる高さの組み立て説明図である。
【図７】本発明の蟻継ぎブロックの第１好適実施例のブロックの立体図である。
【図７Ａ】本発明の蟻継ぎブロックの第１好適実施例の局部拡大図である。
【図７Ｂ】本発明の蟻継ぎブロックの第１好適実施例のブロックの傾斜面の説明図である。
【図７Ｃ】本発明の蟻継ぎブロックの第１好適実施例のブロックが接続された立体説明図である。
【図７Ｄ】本発明の蟻継ぎブロックの第１好適実施例のＡ−Ａ断面図である。
【図８】本発明の蟻継ぎブロックの第２好適実施例のブロックが接続された立体説明図である。
【図８Ａ】本発明の蟻継ぎブロックの第２好適実施例のＢ−Ｂ断面図である。
【図８Ｂ】本発明の蟻継ぎブロックの第２好適実施例のＢ−Ｂ局部拡大説明図である。
【図９】本発明の蟻継ぎブロックの第３好適実施例のブロックの立体説明図である。
【図９Ａ】本発明の蟻継ぎブロックの第３好適実施例のブロックが縦向きに接続された立体説明図である。
【図９Ｂ】本発明の蟻継ぎブロックの第３好適実施例のブロックの側面が接続された立体説明図である。
【図９Ｃ】本発明の蟻継ぎブロックの第３好適実施例のブロックが十字に交差して固定接続された立体説明図である。
【図１０】本発明の蟻継ぎブロックの第４好適実施例のブロックの立体説明図である。
【図１０Ａ】本発明の蟻継ぎブロックの第４好適実施例のブロックが縦向きに接続された立体説明図である。
【図１０Ｂ】本発明の蟻継ぎブロックの第４好適実施例のブロックの側面が接続された立体説明図である。
【図１０Ｃ】本発明の蟻継ぎブロックの第４好適実施例のブロックが十字に交差して固定接続された立体説明図である。
【図１１】本発明の蟻継ぎブロックの第５好適実施例のブロックの立体説明図である。
【図１１Ａ】本発明の蟻継ぎブロックの第５好適実施例のブロックが縦向きに接続された立体説明図である。
【図１１Ｂ】本発明の蟻継ぎブロックの第５好適実施例のブロックの側面が接続された立体説明図である。
【図１１Ｃ】本発明の蟻継ぎブロックの第５好適実施例のブロックが十字に交差して固定接続された立体説明図である。
【図１２】本発明の蟻継ぎブロックの第６好適実施例のブロックの立体説明図である。
【発明を実施するための形態】
【００１５】
図１〜図４Ａを参照し説明するが、本発明は、多くの手と眼の協調能力を訓練する玩具であり、創造力の発展を訓練する組み立て型ブロック玩具に関するもので、図１は蟻継ぎブロックの立体図である。図２は、本発明の蟻継ぎブロックの通常接続中の立体説明図である。図２Ａは、本発明の蟻継ぎブロックの通常接続後の立体説明図である。図３は、本発明の蟻継ぎブロックの回転接続中の立体説明図である。図３Ａは、本発明の蟻継ぎブロックの回転接続後の立体説明図である。図４は、本発明の蟻継ぎブロックの逆向き接続中の立体説明図である。
図４Ａは、本発明の蟻継ぎブロックの逆向き接続後の立体説明図である。本発明の蟻継ぎブロックは、正偶数変形の設計を採用してブロック１であり、これに制限するものではないが、例えば、正六辺形、正八辺形、又はその他の少なくとも６つの側面又は更に多くの偶数側面を有する正多辺形のブロック１である。正六辺形の構造は、相互の組み合わせにおいて、隙間を残さないようにすることができるので、本発明の蟻継ぎブロックの最適な実施例の形状である。該ブロック１の各側面１３は、蟻穴１１及び蟻ホゾ１２を順に交互に設置し、各側面に凹凸の設計を呈させる。ここで、交互に設置するのは、各側面１３の蟻穴１１と蟻ホゾ１２の数量を等しくするためであり、このことから分かるように、本発明の多辺形の設計は、最小では四辺形に対応することができ、最大では、実際の生産の要求に合わせて調整を行うことができる。
複数のブロック１に接続を行う時、該ブロック１の蟻ホゾ１２は、もう１つのブロック１の蟻穴１１に嵌合され、該ブロック１を横向きに接続させる。即ち、本発明の蟻継ぎブロックの正六変形の好適実施例において、各側面１３にそれぞれ設けられる該蟻穴１１と該蟻ホゾ１２によってもう１つの異なるブロック１の該蟻ホゾ１２及び該蟻ホゾ１１と相互に嵌合組み立てすることができ、その六変形に無限に横方向に延伸して組み合わせ接続させ、簡単に６つの異なる角度の方向へ平面を発展組み立てすることができる。
六変形の各側面１３は、角度Ａ１を６０度に調整し（即ち、垂直上下方向にブロック１の中心線を軸心として該ブロック１を回転する時、６０度の回転ごとに１つの側面１３から隣り合うもう１つの側面１３へ回転し、全ての６つの側面１３を皆回転し終えるとちょうど一つの円の３６０度になる）、該ブロック１に既存の構造の回転、接続を簡単に利用させ、弧度Ｂを有する立体造形を組み立てることができる。該ブロック１上面に柱体１４を設け、更に、該ブロック１底面には、該柱体１４の面積に対応する嵌合溝１５を設ける。複数のブロック１を垂直に接続する時、該柱体１４が該嵌合溝１５内に組み立てられ、該ブロック１を縦方向に接続させ、複数のブロック１を接続して安定した立体造形を構成させることができる。
【００１６】
図３、図３Ａに示すように、図３及び図３Ａは、６個のブロック１が接続堆積されて構成される２階立体構造であり、その図中の破線のブロック１は、柱体１４及び嵌合溝１５により接続を達成する。該柱体１４及び該嵌合溝１５の両者は、何れも六変形の設計であり、言い換えれば、該柱体１４及び該嵌合溝１５の両者は、六辺形の外周輪郭を有し、故に、該ブロック１を回転することによって（即ち、垂直上下方向にブロック１の中心線を軸心として該ブロック１を回転する）、後続の上下縦方向に堆積接続するブロック１に方向を変えて（即ち、蟻ホゾ又は蟻穴の位置を変える）組み立てを行わせることができる。
正六変形の角度が（N?2）＊180度=720度であるので、各角度は、１２０度であり（即ち、隣り合う２つの側面１３の間の挟み角は、１２０度である）、三角形の内角の和の計算により、６０度に回転調整して行うことができる。本実施例は、六角形に限定せず、実際の生産の必要に応じて変更を行うことができ、正八辺形の角度を例とする場合、（N?2）＊180度=1080度であり、各角度が１３５度であり、三角形の内角の和の計算により、４５度に回転調整して行うことができる。更に、正十二辺形の角度を例とする場合、（N?2）＊180度=1800度であり、各角度が１５０度であり、三角形の内角の和の計算により、３０度に回転調整して行うことができる。
上記例の解説により、この形状は、各ブロック１を横方向に接続する時、回転調整する角度によってそれに豊富な変化性をもたせることができることが理解できる。
【００１７】
図４〜図４Ａに示すように、それは、３つのブロック１が接続堆積して構成される２階の立体造形である。
該蟻穴１１及び該蟻ホゾ１２は、相互に嵌合でき、故に図中の破線のブロック１は、逆方向に接続することができる。言い換えれば、いわゆる「逆方向接続」は、破線ブロック１の底面上の該嵌合溝１５を上向きにその他の３つのブロック１と逆方向に相互接続を行う。図５に示すように、それは、本発明の蟻継ぎブロックの正六辺形、正八辺形、正十辺形、正十二辺形の説明図である。そのうち、本発明の蟻継ぎブロックの正六辺形、正八辺形、正十辺形、及び正十二辺形は、前記組み立て堆積方式で行うことができる。
図６に示すように、それは、本発明の蟻継ぎブロックの正十辺形の異なる高さの組み立て説明図である。そのうち、本発明の蟻継ぎブロックの各ブロック1の高さ、及び柱体１４と対応する嵌合溝１５、及び貫通孔１７は、実際の生産の要求に応じて増減を行い、該ブロック１の組み立てに更に変化をもたせることができる。上記説明によって、本発明が通常縦横方向接続、回転接続、逆方向接続を交換使用し、本発明の蟻継ぎブロック１に豊富な変化性をもたせ、構築する立体特殊造形を更に精巧で多様にすることができる。
【００１８】
図７〜図７Ｄに示すように、図７は、本発明の蟻継ぎブロックの第１好適実施例のブロックの立体図である。
図７Ａは、本発明の蟻継ぎブロックの第１好適実施例の局部拡大図である。図７Ｂは、本発明の蟻継ぎブロックの第１好適実施例のブロックの傾斜面の説明図である。図７Ｃは、本発明の蟻継ぎブロックの第１好適実施例のブロックが接続された立体説明図である。図７Ｄは、本発明の蟻継ぎブロックの第１好適実施例のＡ−Ａ断面図である。
そのうち、本発明の蟻継ぎブロックの第１好適実施例中の該ブロック１の中心に貫通孔１７を設け、該貫通孔１７は、ストリップ状又は柱状の接続部材を合わせ、ブロックの間の組み合わせに更に豊富な変化性をもたせることができる。且つ該蟻ホゾ１２の部分の上端、及び下端にそれぞれ上傾斜面１２１及び下傾斜面１２２を設け、２つの傾斜面１２１，１２２は、平行設置を呈し、図は、６０度及び９０度の構造により説明を行うが、これに制限するものではない。複数のブロック１を縦方向に堆積する時、下層のブロック１に位置する該上傾斜面１２１は、上層に位置するもう１つのブロック１の下傾斜面１２２と貼合し、ブロック１に接続状態を呈させる。
即ち、該ブロック１の該上傾斜面１２１が６０度の傾斜を呈する時、該下傾斜面１２２は、同様に６０度の傾斜を呈し、該上傾斜面１２１と平行状体を呈し、且つその他の縦方向に堆積したい上下層の縦方向に隣り合う２つのブロック１に該上傾斜面１２１及び該下傾斜面１２２を利用して相互に貼合するモデルを利用し、複数のブロック１を縦方向に堆積する効果を達成する。
【００１９】
図８〜図８Ｂに示すように、図８は、本発明の蟻継ぎブロックの第２好適実施例のブロックが接続された立体説明図である。
図８Ａは、本発明の蟻継ぎブロックの第２好適実施例のＢ−Ｂ断面図である。図８Ｂは、本発明の蟻継ぎブロックの第２好適実施例のＢ−Ｂ局部拡大説明図である。本発明の蟻継ぎブロックの第２好適実施例から分かるように、複数の該ブロック1が縦方向に堆積する時、前記２つの傾斜面１２１，１２２が貼合して接続状態を呈する以外、該ブロック１は、縦方向の堆積を継続すれば、該上層に位置するブロック１の蟻穴１１の下方は、下層のもう１つのブロック１に位置する上傾斜面１２１に合わせて１つの位置決め点１６を形成し、ブロック１に横方向の作用力が脱落することを防止させることができる。位置決め点１６がブロック１の数量に合わせて増加し、既存の上下傾斜面１２１、１２２に合わせれば、安定した立体特殊造形を接続構成することができる。
【００２０】
図９〜図９Ｃに示すように、図９は、本発明の蟻継ぎブロックの第３好適実施例のブロックの立体説明図である。
図９Ａは、本発明の蟻継ぎブロックの第３好適実施例のブロックが縦向きに接続された立体説明図である。図９Ｂは、本発明の蟻継ぎブロックの第３好適実施例のブロックの側面が接続された立体説明図である。図９Ｃは、本発明の蟻継ぎブロックの第３好適実施例のブロックが十字に交差して固定接続された立体説明図である。そのうち、本発明の第３好適実施例の蟻継ぎブロック１ａは、正六辺形のブロックであり、即ち、上面、該上面と相対する底面、及び上面及び底面の間を接続し、且つ実質上該上面と相互に垂直する６つの側面１３ａを有する。該ブロック１ａの本体は、所定の高さＨ１を有し（即ち、該ブロック１ａの上面及び底面の間の距離）、該ブロック１ａの各側面１３ａは、順に蟻穴１１ａ、蟻ホゾ１２ａを交替で設置し、各側面１３ａに凹凸状態を呈させる。
言い換えれば、某側面１３ａ上に一つの該蟻ホゾ１２ａを設置している時、該側面１３ａと隣り合う左右両側面１３ａ上に一定して一つの該蟻穴１１ａを設置する。反対に、某一側面１３ａ上に一つの該蟻穴１１ａを設置している時、該側面１３ａと隣り合う左右両側１３ａ上に一定して一つの蟻ホゾ１２ａを設置する。
【００２１】
本発明の第３好適実施例において、該２つのブロック１ａ、１ａ’を相互に横方向に接続する時、図９Ａに占めＵように、そのうち１つのブロック１ａの該蟻ホゾ１２ａは、縦方向（垂直方方向）にもう１つのブロック１ａ’の該蟻穴１１ａ’内に嵌め込まれ、結合される。また、該ブロック１ａの上面（上端）の中心箇所に柱体１４ａを設け、更に、該ブロック１ａの底面（底端）の中心箇所に該柱体１４ａの面積に対応する嵌合溝１５ａを設ける。複数のブロック１ａを垂直に縦方向に堆積接続する時、図９Ｂに示すように、下方の該ブロック１ａに位置する該柱体１４ａは、真上の該ブロック１ａに位置する該嵌合溝１５ａ内に縦方向に嵌め込まれ、組み立てられ、２つのブロック１ａを縦方向に垂直に堆積して接続させることができる。
【００２２】
また、各側面１３ａ上に位置する該蟻ホゾ１２ａの最大厚さｄ１は、該ブロック１ａの本体部位の高さＨ１と同じであることができ（d1=H1）、且つ外形は、該蟻穴１１ａが収容可能な蟻継ぎ内縁に略等しい。
即ち、該蟻ホゾ１２ａの外側側面の最大幅に等しいだけでなく（言い換えれば、該蟻ホゾ１２ａの外側側面が正方形を呈する）、同時に該蟻穴１１ａの内縁（即ち、ブロック１ａ本体に近隣する側）の最大幅にも略等しい。従って、図９ｃに示すように、該ブロック１ａを９０度反転し、垂直な該蟻ホゾ１２ａにより隣り合うもう１つのブロック１ａ’の水平な該蟻穴１１ａ’と結合し、２つのブロック１ａ、１ａ’の２つの上面の間で９０度の挟み角を呈し、即ち、相互に垂直であり、但し、ブロック１ａの蟻ホゾ１２ａは、依然としてもう１つのブロック１ａの蟻穴１１ａ’柱に安定して嵌合することができる。
即ち、本発明の第３好適実施例において、該蟻ホゾ１２ａは、略方形錐体の形態を呈し、該ブロック１ａの該側面１３ａの中央位置から外向きに拡張延伸して蟻ホゾ状を呈し、該蟻穴１１ａによって横方向に接続を行うことができるだけでなく、更に、２つのブロック１ａ、１ａ’を９０度の方式で十字に交差して固定接続を提供することができ、より多くの異なる結合変化を発生することができる。
【００２３】
図１０〜図１０Ｃに示すように、図１０は、本発明の蟻継ぎブロックの第４好適実施例のブロックの立体説明図である。図１０Ａは、本発明の蟻継ぎブロックの第４好適実施例のブロックが縦向きに接続された立体説明図である。図１０Ｂは、本発明の蟻継ぎブロックの第４好適実施例のブロックの側面が接続された立体説明図である。図１０Ｃは、本発明の蟻継ぎブロックの第４好適実施例のブロックが十字に交差して固定接続された立体説明図である。そのうち、図１０〜図１０Ｃの本発明の蟻継ぎブロックの第４好適実施例の大部分は、図９から図９Ｃに示す第３好適実施例と類似し、故に同じ部材及び構造は、以下では再度説明を記載しない。
【００２４】
本発明の第４好適実施例の蟻継ぎブロックと前記第３好適実施例の相違点は、以下のようなものである。
本発明の第４好適実施例の蟻継ぎブロック１ｂの本体部分の高さＨ２は、該蟻ホゾ１２ｂの厚さｄ２（Ｈ２＞ｄ２）より大きく、且つ、該蟻ホゾ１２ｂは、それぞれ各該側面１３ｂの高さ方向上及び幅方向上の両者の中央位置に位置し、言い換えれば、本発明の第４好適実施例の蟻継ぎブロック１ｂの高さＨ２は、本発明の第３好適実施例の蟻継ぎブロック１ａの高さＨ１（Ｈ２＞Ｈ１）より大きい。
該第４好適実施例の該兩ブロック１ｂ、１ｂ’が相互に横方向に接続される時、図１０Ａに示すように、そのうち１つのブロック１ｂの該蟻ホゾ１２ｂは、縦方向（垂直方向）にもう１つのブロック１ｂ’の該蟻穴１１ｂ’内に嵌め込まれて結合し、且つ該ブロック１ｂの高さＨ２は、該蟻ホゾ１２ｂの厚さｄ２より大きく、従って、該蟻ホゾ１２ｂは、該蟻穴１１ｂの中央に嵌合し、この時、該蟻穴１１ｂ内の上面及び底面は、何れも空間を残す。
【００２５】
複数のブロック１ｂが垂直縦方向に接続する時、図１０Ｂに示すように、該柱体１４ｂが該嵌合溝１５ｂ内に組み立てされることができ、複数のブロック１ｂを縦方向に垂直堆積接続させる。
当然ながら、図１０Ｃに示すように、該ブロック１ｂを９０度反転させ、垂直な該蟻ホゾ１２ｂによりもう１つのブロック１ｂ’の水平な該蟻穴１１ｂ’と相互に結合し、２つのブロック１ｂ、１ｂ’を９０度方式で十字に交差して固定接続し（２つのブロック１ｂ、１ｂ’の上面が相互に垂直となる）、更に多くの異なる結合変化を発生させることもできる。
【００２６】
図１１〜図１１Ｃに示すように、図１１は、本発明の蟻継ぎブロックの第５好適実施例のブロックの立体説明図である。図１１Ａは、本発明の蟻継ぎブロックの第５好適実施例のブロックが縦向きに接続された立体説明図である。図１１Ｂは、本発明の蟻継ぎブロックの第５好適実施例のブロックの側面が接続された立体説明図である。図１１Ｃは、本発明の蟻継ぎブロックの第５好適実施例のブロックが十字に交差して固定接続された立体説明図である。
【００２７】
そのうち、図１１〜図１１Ｃの本発明の蟻継ぎブロックの第５好適実施例は、大部分が図９〜図９Ｃに示す第３実施例と類似し、故に同じ部材及び構造は、以下では、再度説明を記載しない。
そのうち、本発明の第５好適実施例の蟻継ぎブロックと前記第３好適実施例の相違点は、以下である。本発明の第五好適実施例の蟻継ぎブロックは、正六辺形の設計のブロック１ｃであり、それは、上面、及び該上面と対応する底面、及び上面と底面の間を接続し且実質上該上面と相互に垂直な６つの側面１３ｃを有する。各個側面１３ｃは、順に交替で弧状溝１１ｃ及び球状ラッチ１２ｃを設け、各側面１３ｃに連続凹凸状態を呈させ、該球状ラッチ１２ｃの体積の大きさは、ちょうど該弧状溝１１ｃ内に嵌合することができるものである。
言い換えれば、某側面１３ｃ上に１つの該球状ラッチ１２ｃを設置している時、該側面１３ｃと隣り合う左右両側面１３ｃ上に一定して１つの該弧状溝１１ｃを設置し、逆も然りである。
【００２８】
また、該ブロック１ｃの上面に球状ラッチ１４ｃを設け、また、該ブロック１ｃ底面に該球状ラッチ１４ｃに対応する円弧状嵌合溝１５ｃを設ける。該２つのブロック１ｃ、１ｃ’が相互に横方向に接続される時、図１１Ａに示すように、そのうち１つのブロック１ｃの該球状ラッチ１２ｃは、縦方向（垂直方向）にもう１つのブロック１ｃ’の該弧状溝１１ｃ’内に嵌合する。複数のブロック１ｃが垂直に縦方向に接続される時、図１１Ｂに示すように、下方に位置するブロック１ｃの該球状ラッチ１４ｃは、上方に位置するもう１つのブロック１ｃの該円弧状嵌合溝１５ｃ内に嵌合することができ、該ブロック１ｃを縦方向に垂直に堆積接続させることができる。同様に、図１１Ｃに示すように、該ブロック１ｃを９０度反転し、垂直の該球状ラッチ１２ｃによりもう１つのブロック１ｃ’の水平な該弧状溝１１ｃ’と結合し、２つのブロック１ｃ、１ｃ’を９０度の方式で十字に交差して固定接続し、更に多くの異なる結合変化を発生することもできる。
【００２９】
図１２を参照し、それは、本発明の蟻継ぎブロックの第６好適実施例のブロックの立体説明図である。そのうち、図１２の本発明の蟻継ぎブロックの第６好適実施例は、大部分が図９〜図９Ｃに示す第３実施例と類似し、故に、同じ部材及び構造は、以下では再度説明を記載しない。
そのうち、本発明の第６好適実施例の蟻継ぎブロック及び前記第３好適実施例の相違点は、以下である。本発明の蟻継ぎブロック１ｄは、更に、貫通孔１８ｄを含み、それは、該ブロック１ｄ中央箇所に設置され、該ブロック１ｄの上面及び底面の間を貫通する。そのうち、該貫通孔１８ｄは、円形、三角形、四辺形、五辺形、六辺形、又はその他の多辺形の外周輪郭等のうち一つを有する。本発明の第６実施例において、該ブロック１ｄの該貫通孔１８ｄは、六辺形の輪郭を有することを最適とし、これは、六辺形の輪郭を有する該貫通孔１８ｄは、更に２つの図９に示すようなブロック１ａの柱体１４ａをそれぞれ上方及び下方から該ブロック１ｄの該貫通孔１８ｄ中に嵌合し、３つのブロック（２つのブロック１ａの中間に１つのブロック１ｄを挟む）を縦方向に堆積して一つにする。
または、ストリップ状又は柱状の多辺形の接続部材を更に組み合わせ、垂直堆積する複数のブロック１ｄの貫通孔１８ｄ中に貫通設置し、該ブロック１ａ、１ｄの間の接続関係に更に豊富な変化性をもたせることもできる。
【００３０】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３１】
１、１ａ、１ａ’１ｂ、１ｂ’、１ｃ、１ｃ’、１ｄ  ブロック
１１、１１ａ、１１ａ’、１１ｂ、１１ｂ’  蟻穴
１２、１２ａ、１２ｂ  蟻ホゾ
１２１  上傾斜面
１２２  下傾斜面
１３、１３ａ、１３ｂ  側面
１４、１４ａ  柱体
１５、１５ａ  嵌合溝
１６  位置決め点
１７  貫通孔
Ａ１  角度
Ｂ  弧度
１１ｃ、１１ｃ’  弧状溝
１２ｃ  球状ラッチ
１３ｃ  側面
１４ｃ  球状ラッチ
１５ｃ  円弧状嵌合溝
１８ｄ  貫通孔
【図１】
2016221268.tif 000003
【図２】
2016221268.tif 000004
【図２Ａ】
2016221268.tif 000005
【図３】
2016221268.tif 000006
【図３Ａ】
2016221268.tif 000007
【図４】
2016221268.tif 000008
【図４Ａ】
2016221268.tif 000009
【図５】
2016221268.tif 000010
【図６】
2016221268.tif 000011
【図７】
2016221268.tif 000012
【図７Ａ】
2016221268.tif 000013
【図７Ｂ】
2016221268.tif 000014
【図７Ｃ】
2016221268.tif 000015
【図７Ｄ】
2016221268.tif 000016
【図８】
2016221268.tif 000017
【図８Ａ】
2016221268.tif 000018
【図８Ｂ】
2016221268.tif 000019
【図９】
2016221268.tif 000020
【図９Ａ】
2016221268.tif 000021
【図９Ｂ】
2016221268.tif 000022
【図９Ｃ】
2016221268.tif 000023
【図１０】
2016221268.tif 000024
【図１０Ａ】
2016221268.tif 000025
【図１０Ｂ】
2016221268.tif 000026
【図１０Ｃ】
2016221268.tif 000027
【図１１】
2016221268.tif 000028
【図１１Ａ】
2016221268.tif 000029
【図１１Ｂ】
2016221268.tif 000030
【図１１Ｃ】
2016221268.tif 000031
【図１２】
2016221268.tif 000032